(57)【要約】【課題】  本発明は、上記問題に鑑みてなされたものであり、高電圧でソフトスタートを行なうことのできる高電圧電源装置を提供する。【解決手段】  高電圧電源装置が開示される。本高電圧電源装置は、イネーブル信号が印加されると、時間の経過とともに指数的に減少する自然電圧を出力し、自然電圧を予め設定された大きさの強制電圧に変換するソフトスタート回路部と、出力される電圧を基準電圧と比較して制御信号を出力する制御部と、制御信号に従って、予め設定された時間の間最終電圧の出力を遅延した後、時間の経過とともに大きさが次第に増大する最終電圧を出力するコンバーティング部を含む。これにより、比較的に簡単な構成で、費用を節約しつつ高電圧でソフトスタートを行なうことができる。【選択図】図１
2011200114.tif 000002
【特許請求の範囲】
【請求項１】
イネーブル信号が印加されると、時間の経過とともに指数的に減少する自然電圧を出力し、前記自然電圧を予め設定された大きさの強制電圧に変換するソフトスタート回路部と、
前記出力される電圧を基準電圧と比較して制御信号を出力する制御部と、
前記制御信号に従って、予め設定された時間の間最終電圧の出力を遅延した後、時間の経過とともに大きさが次第に増大する最終電圧を出力するコンバーティング部と、
を含む高電圧電源装置。
【請求項２】
前記制御部は、
前記ソフトスタート回路部から出力される電圧が、前記基準電圧以上であれば大きさが０の制御信号を出力し、前記出力される電圧が前記基準電圧より小さくなるにつれ、デューティ比（Ｄｕｔｙ  ｒａｔｉｏ）が次第に増加する制御信号を出力することを特徴とする請求項１に記載の高電圧電源装置。
【請求項３】
前記ソフトスタート回路部は、
前記イネーブル信号に従って、駆動電圧を印加する駆動部と、
前記駆動電圧が印加されると、エネルギー保存素子を充電または放電させる充放電部と、
前記充電または前記放電に応じて、分配された電圧を出力する電圧分配部と、
を含むことを特徴とする請求項１に記載の高電圧電源装置。
【請求項４】
前記駆動部は、トランジスタを含み、
前記トランジスタの第１端子と直列に接続された駆動抵抗を介して前記イネーブル信号が印加され、
前記トランジスタの第２端子で前記駆動電圧が印加され、
前記トランジスタの第３端子と前記充放電部とが接続され、
前記イネーブル信号の印加によって前記駆動電圧が前記第３端子に印加されることを特徴とする請求項３に記載の高電圧電源装置。
【請求項５】
前記充放電部は、
前記トランジスタの前記第３端子とキャパシタの一端とが接続され、前記キャパシタの他端は第１ノードと接続され、
前記第１ノードは、一端がグラウンドと接続された充電抵抗の他端と接続され、
前記キャパシタの一端は、一端がグラウンドと接続された放電抵抗の他端と接続されることを特徴とする請求項４に記載の高電圧電源装置。
【請求項６】
前記電圧分配部は、第２ノードを含み、
前記第２ノードと第１抵抗の一端とが接続され、前記第１抵抗の他端は前記コンバーティング部の出力端子と接続され、
前記第２ノードと前記第２抵抗の他端とが接続され、前記第２抵抗の一端は前記グラウンドに接続され、
前記第２ノードとダイオードのカソード（Ｃａｔｈｏｄｅ）とが接続され、前記ダイオードのアノード（Ａｎｏｄｅ）と第３抵抗の他端とが接続され、前記第３抵抗の一端と前記キャパシタの他端及び前記充電抵抗の他端とが接続され、
前記第２ノードと前記制御部とが接続されることを特徴とする請求項５に記載の高電圧電源装置。
【請求項７】
前記ダイオードは、
前記第２ノードから前記第１ノード方向に流れる電流を遮断することを特徴とする請求項６に記載の高電圧電源装置。
【請求項８】
前記最終電圧のスルーレート（ｓｌｅｗ  ｒａｔｅ）は、
前記キャパシタのキャパシタンス及び前記充電抵抗を乗算した値に反比例することを特徴とする請求項６に記載の高電圧電源装置。
【請求項９】
前記コンバーティング部の出力端子の電圧は、以下の数式によって算出することを特徴とする請求項６に記載の高電圧電源装置。
【数１０】
2011200114.tif 000012
（ここで、Ｖｏｕｔはコンバーティング部の出力端子の電圧、Ｖｒｅｆは基準電圧、Ｒｄは充電抵抗、Ｃｄはキャパシタンス、Ｖｅは駆動電圧、Ｒｇは第１抵抗、Ｒｓは第２抵抗、Ｒｘは第３抵抗である。）
【請求項１０】
前記予め設定された時間ＴＡは、以下の数式によって算出することを特徴とする請求項６に記載の高電圧電源装置。
【数１１】
2011200114.tif 000013
【請求項１１】
前記最終電圧が最初に出力された後、前記最終電圧が飽和（ｓａｔｕｒａｔｉｏｎ）するまでの時間ＴＢは、以下の数式によって算出することを特徴とする請求項６に記載の高電圧電源装置。
【数１２】
2011200114.tif 000014
（ここで、Ｖｄｉｏｄｅはダイオードの電圧である。）
【発明の詳細な説明】
【技術分野】
【０００１】
本発明は、高電圧電源装置に関し、より詳細には、高圧電源印加時にソフトスタートを行なう高電圧電源装置に関する。
【背景技術】
【０００２】
最近の電子技術の発展の影響もあって、多様な形態の電源装置が登場している。
【０００３】
電源装置は、外部回路（又は負荷）に電源を提供するための装置として、外部回路に電源を提供する際に、電源が短時間に急激に変わると、外部回路を損なう惧れがある。
【０００４】
特に、電源装置から提供される電源の電圧が数キロボルト〜数十キロボルトのような高電圧である場合には、更に問題になる惧れがある。一例として、ＬＣＤ  ＴＶ装置において、ＣＮＴ（Ｃａｒｂｏｎ  Ｎａｎｏ  Ｔｕｂｅ）バックライトを駆動するためには、数十キロボルトの高い電圧が必要となる。従って、ＣＮＴバックライトを損なわないようにするために、電源装置でソフトスタート回路が必要である。
【０００５】
従来では、キャパシタを充電する方式を用いてソフトスタート回路を実現してきたが、このような方式は高電圧電源装置には適しない構造をもつ。従って、高電圧電源装置で用いることのできるソフトスタート回路が求められる。
【先行技術文献】
【特許文献】
【０００６】
【特許文献１】日本特開第２００２−１７１７５０号公報
【特許文献２】日本特開第２００４−１６６４２８号公報
【特許文献３】ＥＰ１、１２８、７０７
【特許文献４】日本特開１０−１７９５４０号公報
【発明の概要】
【発明が解決しようとする課題】
【０００７】
そこで、本発明は、上記問題に鑑みてなされたものであり、本発明の目的とするところは、高電圧でソフトスタートを行なうことのできる高電圧電源装置を提供することにある。
【課題を解決するための手段】
【０００８】
本発明の一実施形態に係る高電圧電源装置は、イネーブル信号が印加されると、時間の経過とともに指数的に減少する自然電圧を出力し、前記自然電圧を予め設定された大きさの強制電圧に変換するソフトスタート回路部と、前記出力される電圧を基準電圧と比較して制御信号を出力する制御部と、前記制御信号に従って、予め設定された時間の間最終電圧の出力を遅延した後、時間の経過とともに大きさが次第に増大する最終電圧を出力するコンバーティング部とを含む。
【０００９】
前記制御部は、前記ソフトスタート回路部から出力される電圧が、前記基準電圧以上であれば大きさが０の制御信号を出力し、前記出力される電圧が前記基準電圧より小さくなるにつれ、デューティ比（Ｄｕｔｙ  ｒａｔｉｏ）が次第に増加する制御信号を出力してよい。
【００１０】
前記ソフトスタート回路部は、前記イネーブル信号に従って、駆動電圧を印加する駆動部と、前記駆動電圧が印加されると、エネルギー保存素子を充電または放電させる充放電部と、前記充電または前記放電に応じて、分配された電圧を出力する電圧分配部とを含んでよい。
【００１１】
前記駆動部は、トランジスタを含み、前記トランジスタの第１端子と直列に接続された駆動抵抗を介して前記イネーブル信号が印加され、前記トランジスタの第２端子で前記駆動電圧が印加され、前記トランジスタの第３端子と前記充放電部とが接続され、前記イネーブル信号の印加によって前記駆動電圧が前記第３端子に印加されてよい。
【００１２】
前記充放電部は、前記トランジスタの前記第３端子とキャパシタの一端とが接続され、前記キャパシタの他端は第１ノードと接続され、前記第１ノードは、一端がグラウンドと接続された充電抵抗の他端と接続され、前記キャパシタの一端は、一端がグラウンドと接続された放電抵抗の他端と接続されてよい。
【００１３】
前記電圧分配部は、第２ノードを含み、前記第２ノードと第１抵抗の一端とが接続され、前記第１抵抗の他端は前記コンバーティング部の出力端子と接続され、前記第２ノードと前記第２抵抗の他端とが接続され、前記第２抵抗の一端は前記グラウンドに接続され、前記第２ノードとダイオードのカソード（Ｃａｔｈｏｄｅ）とが接続され、前記ダイオードのアノード（Ａｎｏｄｅ）と第３抵抗の他端とが接続され、前記第３抵抗の一端と前記キャパシタの他端及び前記充電抵抗の他端とが接続され、前記第２ノードと前記制御部とが接続されてよい。
【００１４】
前記ダイオードは、前記第２ノードから前記第１ノード方向に流れる電流を遮断してよい。
【００１５】
前記最終電圧のスルーレート（ｓｌｅｗ  ｒａｔｅ）は、前記キャパシタのキャパシタンス及び前記充電抵抗を乗算した値に反比例してよい。
【００１６】
前記コンバーティング部の出力端子の電圧は、以下の数式によって算出されてよい：
【００１７】
【数１】
2011200114.tif 000003
ここで、Ｖｏｕｔはコンバーティング部の出力端子の電圧、Ｖｒｅｆは基準電圧、Ｒｄは充電抵抗、Ｃｄはキャパシタンス、Ｖｅは駆動電圧、Ｒｇは第１抵抗、Ｒｓは第２抵抗、Ｒｘは第３抵抗である。
【００１８】
前記予め設定された時間ＴＡは、以下の数式によって算出されてよい：
【００１９】
【数２】
2011200114.tif 000004
前記最終電圧が最初に出力された後、前記最終電圧が飽和（ｓａｔｕｒａｔｉｏｎ）するまでの時間ＴＢは、以下の数式によって算出されてよい：
【００２０】
【数３】
2011200114.tif 000005
ここで、Ｖｄｉｏｄｅはダイオードの電圧である。
【発明の効果】
【００２１】
これによって、比較的に簡単な構成で、費用を節約しつつ高電圧でソフトスタートを行なうことができる。
【図面の簡単な説明】
【００２２】
【図１】本発明の一実施形態に係る高電圧電源装置を示す図である。
【図２】図１のソフトスタート回路部をより詳細に示す図である。
【図３】図１の制御部をより具体的に説明するための図である。
【図４Ａ】制御部の動作原理を説明するための図である。
【図４Ｂ】制御部の動作原理を説明するための図である。
【図４Ｃ】制御部の動作原理を説明するための図である。
【図５Ａ】本高電圧電源装置の各ノードにおける電圧を示す図である。
【図５Ｂ】本高電圧電源装置の各ノードにおける電圧を示す図である。
【図５Ｃ】本高電圧電源装置の各ノードにおける電圧を示す図である。
【発明を実施するための形態】
【００２３】
以下に添付図面を参照しながら、本発明についてより詳細に説明する。
【００２４】
図１は、本発明の一実施形態に係る高電圧電源装置を示す図である。図１によると、高電圧電源装置１００は、ソフトスタート回路部１１０と、制御部１２０と、コンバーティング部１３０とを含む。
【００２５】
ソフトスタート回路部１１０は、イネーブル信号が印加されると、時間の経過とともに指数的に減少する自然電圧を出力し、自然電圧を予め設定された大きさの強制電圧に変換する。
【００２６】
イネーブル信号は、ソフトスタート回路部１１０を駆動するための信号として、一例として、５[Ｖ]の直流電圧でもよい。なお、イネーブル信号は後述の制御部１２０を駆動するための信号であってもよい。
【００２７】
自然電圧は、時間の経緯とともに指数的に減少する電圧であり、強制電圧は時間の経過に関係なく、一定の電圧値をもつ電圧であってもよい。
【００２８】
制御部１２０は、ソフトスタート回路部１１０から出力される電圧を、基準電圧と比較して制御信号を出力する。
【００２９】
具体的に、制御部１２０はソフトスタート回路部１１０から出力される電圧が、基準電圧Ｖｒｅｆ以上であれば、大きさが０の制御信号を出力する。なお、制御部１２０は、ソフトスタート回路部１１０から出力される電圧が基準電圧Ｖｒｅｆより小さい場合は、特定の大きさをもつ制御信号を出力する。即ち、制御部１２０はソフトスタート回路部１１０から出力される電圧が基準電圧より小さくなるにつれ、デューティ比（Ｄｕｔｙ  ｒａｔｉｏ）が次第に増加する制御信号を出力することができる。
【００３０】
コンバーティング部１３０は、制御部１２０から出力される制御信号に従って、予め設定された時間の間最終電圧の出力を遅延した後、時間の経過とともに大きさが次第に増大する最終電圧を出力する。コンバーティング１３０はＤＣ−ＤＣコンバータを含んでよい。
【００３１】
ここで、予め設定された時間及び最終電圧が最初に出力された後、最終電圧が飽和（ｓａｔｕｒａｔｉｏｎ）するまでの時間は、ソフトスタート回路部１１０に含まれた素子の値と基準電圧Ｖｒｅｆに応じて調整されることができる。
【００３２】
これにより、本高電圧電源装置１００は比較的に簡単な構成で、費用を節約しつつ高電圧でソフトスタートを行なうことができる。
【００３３】
本高電圧電源装置１００は、ＴＶ装置、画像形成装置などの多様な分野に適用されることができる。好適には、本高電圧電源装置１００は、ＬＣＤ  ＴＶ装置において、ＣＮＴ（Ｃａｒｂｏｎ  Ｎａｎｏ  Ｔｕｂｅ）バックライトを駆動するのに用いられることができる。
【００３４】
一方、図１では、第１抵抗Ｒｇ及び第２抵抗Ｒｓを含む構成をソフトスタート回路部１１０として示したが、第１抵抗Ｒｇ及び第２抵抗Ｒｓを除く構成をソフトスタート回路部１１０として定義することもできる。
【００３５】
図２は、図１のソフトスタート回路部をより具体的に示す図である。図２によると、ソフトスタート回路部２００は、駆動部２１０、充放電部２２０、及び電圧分配部２３０を含む。
【００３６】
駆動部２１０は、イネーブル信号に従って駆動電圧を印加することができる。具体的に、駆動部２１０は、トランジスタＴ、駆動電源Ｖｅ、及び駆動抵抗Ｒｂを含んでよい。
【００３７】
一例として、トランジスタＴは、ＮＰＮ型トランジスタであってよい。以下では、トランジスタＴはＮＰＮ型トランジスタである場合に基づいて説明する。只、トランジスタＴは、ＰＮＰ型トランジスタか、ＭＯＳ型トランジスタであってもよい。
【００３８】
駆動電源は一例として、直流電圧源であってよい。
【００３９】
駆動抵抗Ｒｂは、トランジスタＴのベース抵抗でもよく、外部信号（イネーブル信号）印加によりトランジスタＴを保護するための機能を行なう。
【００４０】
トランジスタＴのベース（即ち、第１端子）は駆動抵抗の一端と接続され、トランジスタＴのコレクタ（即ち、第２端子）は駆動電源と接続され、トランジスタＴのエミッタ（即ち、第３端子）は後述の充放電部２２０の１ノード（即ち、キャパシタと放電抵抗Ｒａとの間のノード）と接続されることができる。
【００４１】
充放電部２２０は、駆動電圧が印加されると、エネルギー保存素子を充電または放電させることができる。ここで、エネルギー保存素子は、少なくとも一つのキャパシタで実現できる。具体的に、充放電部２２０は充電抵抗Ｒｄ、キャパシタ及び放電抵抗Ｒａを含んでよい。
【００４２】
充放電部２２０は、充電抵抗Ｒｄ、キャパシタ、及び放電抵抗Ｒａが一つの閉ループ（ｃｌｏｓｅｄ  ｌｏｏｐ）を構成し、充電抵抗Ｒｄの電圧を測定する場合、一種の高域通過フィルタ（ＨＰＦ）として動作できる。ここで、充電抵抗Ｒｄ及びキャパシタの間は、第１ノードであってよい。
【００４３】
キャパシタの一端は、トランジスタＴのエミッタと接続され、キャパシタの他端は第１ノード（即ち、充電抵抗Ｒｄの他端）と接続される。
【００４４】
充電抵抗Ｒｄの一端は、グラウンドと接続され、充電抵抗Ｒｄの他端は第１ノード（即ち、キャパシタ他端）と接続される。
【００４５】
放電抵抗Ｒａの一端はグラウンドと接続され、放電抵抗Ｒａの他端はキャパシタの一端と接続される。
【００４６】
電圧分配部２３０は、充電または放電により、分配された電圧を出力することができる。具体的に、電圧分配部２３０は、第１抵抗Ｒｇ、第２抵抗Ｒｓ、第３抵抗Ｒｘ、及びダイオードを含む。
【００４７】
第１抵抗Ｒｇの一端は第２ノードと接続され、第１抵抗Ｒｇの他端はコンバーティング部１３０の出力端子と接続される。
【００４８】
第２抵抗Ｒｓの一端はグラウンドに接続され、第２抵抗Ｒｓの他端は第２ノードと接続される。
【００４９】
ダイオードのカソードは第２ノードと接続され、ダイオードのアノードと第３抵抗Ｒｘの他端が接続される。ここで、ダイオードは多様な類型のダイオードで実現されることができ、第２ノードで第１ノード方向に電流が流れないようにする。
【００５０】
第３抵抗Ｒｘの一端の第１ノードと接続され、第３抵抗Ｒｘの他端はダイオードのアノードと接続される。
【００５１】
なお、第２ノードは、制御部１２０の１端子（即ち、入力端子）と接続される。
【００５２】
図３は、図１の制御部をより具体的に説明するための図である。図３によると、制御部３００は第１比較部３１０及び第２比較部３２０を含む。図３では、説明の便宜上不要な素子などは省略した。
【００５３】
第１比較部３１０は、第１増幅器３１３及びキャパシタ３１５を含む。
【００５４】
ソフトスタート回路部１００、２００から出力される電圧は、第１増幅器３１３の入力端子のうち陰極端子に印加されてよい。基準電圧Ｖｒｅｆは、第１増幅器３１３の入力端子のうち陽極端子に印加されてよい。第１増幅器３１３は入力端子の両側の電圧を比較してエラー信号Ｓ１を出力する。
【００５５】
第２比較部３２０は、第１比較部３１０から出力されたエラー信号を第２比較部３２０の入力端子のうち、陰極端子のランプ（ｒａｍｐ）信号と比較して、制御信号Ｓ２を出力する。
【００５６】
図４Ａないし図４Ｃは、制御部の動作原理を説明するための図であり、図５Ａないし図５Ｃは、本高電圧電源装置の各ノードにおける電圧を示す図である。図２ないし図５Ｃを参照しながら、本高電圧電源装置の動作原理について、詳細に説明する。
【００５７】
図２に示されるように、イネーブル信号が駆動抵抗Ｒｂを介してトランジスタＴのベースに印加されることができる。これにより、トランジスタＴのコレクタの駆動電圧Ｖｅが充放電部２２０のキャパシタと放電抵抗Ｒａとの間のノードに印加されることができる。
【００５８】
このように、駆動部２１０の駆動電圧が充放電部２２０のキャパシタと放電抵抗Ｒａとの間のノードに印加されると、第１ノードに駆動電圧が印加されることができる。
【００５９】
第１ノードには最初には駆動電圧Ｖｅが印加されるが、この電圧は図５Ｃに示されるように、指数的に減少する電圧値をもち、具体的には以下の数式１のように算出することができる。
【００６０】
【数４】
2011200114.tif 000006
なお、第２ノードの電圧Ｖｓは第１ノードの電圧から類推できるが、説明の便宜上、第２抵抗Ｒｓ及び第３抵抗Ｒｘは同一であると仮定すると、図５Ｂに示されるように、第２ノードの電圧Ｖｓは第１ノードの電圧Ｖｘの１／２であってよい。
【００６１】
第１ノードの電圧Ｖｘが時間の経過とともに指数的に減少するため、第２ノードの電圧Ｖｓも同様に、時間の経過とともに指数的に減少する。
【００６２】
一方、出力電圧Ｖｏｕｔは第２ノードでＫＣＬを適用すると、以下のように算出することができる。
【００６３】
【数５】
2011200114.tif 000007
ここで、第１抵抗Ｒｇは、第２抵抗Ｒｓよりかなり大きな値である（Ｒｇ>>Ｒｓ）。なお、説明の便宜上、第２抵抗Ｒｓと第３抵抗Ｒｘが同じで、ダイオードの電圧は無視する。更に、数式１で算出した第1ノードの電圧Ｖｘを数式２に代入すると、以下のような数式３が算出できる。
【００６４】
【数６】
2011200114.tif 000008
【００６５】
[第２ノードに自然電圧が印加される区間に対する説明]
仮に、イネーブル信号がソフトスタート回路部１１０に最初に出力される場合（即ち、ｔ＝０の場合）、駆動電圧が５[Ｖ]であれば、第１ノードの電圧Ｖｘは５[Ｖ]であり、第２ノードの電圧Ｖｓが２．５[Ｖ]である。基準電圧が１．２５[Ｖ]なら、制御部３００の第１増幅器３１３の出力信号Ｓ１は大きさが０の信号が出力される。時間の経過とともに、第２ノードの電圧Ｖｓが次第に減少する場合、第２ノードの電圧Ｖｓが１．２５[Ｖ]になるまで、制御部３００の第１増幅器３１３の出力信号Ｓ１は大きさが０の信号が出力される。この場合の電圧は自然電圧であってよい。
【００６６】
その結果、図４Ａに示されるように、制御部３００から出力される制御信号も大きさが０の信号であり、コンバーティング部１３０から出力される最終電圧も大きさが０の信号である。
【００６７】
これにより、図５Ａに示されるように、遅延時間ＴＡは最終電力の大きさが０である場合の数式３を用いて、以下の数式４のように算出できる。
【００６８】
【数７】
2011200114.tif 000009
【００６９】
[第２ノードに強制電圧が印加される区間に対する説明]
一方、時間の経過とともに、第１ノードの電圧Ｖｘが減少し、第２ノードの電圧Ｖｓが１．２５[Ｖ]より小さい値を有しなければならない場合が生じ得る。ところが、第２ノードの電圧Ｖｓは第１増幅器３１３によって基準電圧Ｖｒｅｆである１．２５[Ｖ]の以下になることはできない。従って、図４Ｂに示されるように、遅延時間ＴＡ以降には、基準電圧Ｖｒｅｆの１．２５[Ｖ]に電圧が固定される。この場合の電圧は強制電圧であってよい。
【００７０】
この場合には、一例として、第１ノードの電圧Ｖｘが２[Ｖ]である場合、第２ノードの理論上の電圧は１[Ｖ]であってよいため、図３に示された矢印方向に電流が流れ、最終的に第２抵抗を介してグラウンドに電流が流れるようになる。これにより、第１増幅器３１３の出力端子の電圧値が大きくなる。結局、図４Ｂに示されるように、第２比較部３２０を介して出力される信号が所定のデューティ比をもつ形態の制御信号が出力される。
【００７１】
時間の経過とともに、第１ノードの電圧Ｖｘが２[Ｖ]より更に小さい値をもつ１[Ｖ]であれば、第２ノードの理論上の電圧は０．５[Ｖ]であってよいため、図４Ｃに示されるように、第１増幅器３１３の出力端子の電圧値が更に大きくなる。これにより、図４Ｂから出力される制御信号のデューティ比より図４Ｃから出力される制御信号のデューティ比が大きくなる。
【００７２】
一方、最終電圧が最初に出力された後、最終電圧が飽和（ｓａｔｕｒａｔｉｏｎ）するまでの時間ＴＢは、第２ノードでＫＣＬを行なった以下の数式５を数式３に代入し、第１抵抗Ｒｇが第２抵抗Ｒｓよりかなり大きいという条件（Ｒｇ>>Ｒｓ）を用いて以下の数式６のように算出できる。
【００７３】
【数８】
2011200114.tif 000010
【００７４】
【数９】
2011200114.tif 000011
一方、数式６でＶｄｉｏｄｅは無視することができ、その結果、最終電圧が最初に出力された後、最終電圧が飽和（ｓａｔｕｒａｔｉｏｎ）するまでの時間ＴＢは、充放電部２２０の充電抵抗Ｒｄの値及びキャパシタのキャパシタンスにより調節されることができる。
【００７５】
[最終電圧の出力に対する説明]
従って、本高電圧電源装置１００は、図５Ａの時間ＴＡでは最終電圧が出力されないが、時間ＴＢでは時間の経過とともに、最終電圧が次第に増加するソフトスタートを行なうことができる。
【００７６】
本高電圧電源装置１００によると、スルーレートは、キャパシタのキャパシタンス及び充電抵抗Ｒｄとを乗算した値に反比例するため、ソフトスタート回路部２００に含まれたキャパシタ及び充電抵抗Ｒｄの値を変更することにより、簡単にスルーレート（ｓｌｅｗ  ｒａｔｅ）を制御することができる。
【００７７】
なお、本高電圧電源装置１００によると、ソフトスタート回路部２００に含まれた素子の値を変更し、基準電圧Ｖｒｅｆ及び駆動電圧Ｖｅを変更することにより、簡単に時間ＴＡを制御することができる。更に、本高電圧電源装置１００によると、比較的に簡単な構成で、費用を節約しつつ高電圧でソフトスタートを行なうことができる。
【００７８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011200114.tif 000015
【図２】
2011200114.tif 000016
【図３】
2011200114.tif 000017
【図４Ａ】
2011200114.tif 000018
【図４Ｂ】
2011200114.tif 000019
【図４Ｃ】
2011200114.tif 000020
【図５Ａ】
2011200114.tif 000021
【図５Ｂ】
2011200114.tif 000022
【図５Ｃ】
2011200114.tif 000023